(57)【要約】      （修正有）【課題】簡単に左右の長さをそれぞれ自由に調整ができるカメラストラップを提供する。【解決手段】両端にカメラ接続部を有するストラップに関するもので、筒状のたわむ素材１とカメラ接続部８、９が筒状のたわむ素材とカメラ接合部１０、１１で固定されており、このカメラ接続部８、９は筒状のたわむ素材１の筒の中でカメラ接続部の一端が有する輪の構造１２をそれぞれ有し、これに紐１３がそれぞれ通され、紐の端２、３は筒状のたわむ素材１に設けられた穴４、５より外部に出されこの紐の端２、３をそれぞれ引くことで簡単に左右の長さを自由に変えることができる。【選択図】図１
0003185777.tif 000002
【実用新案登録請求の範囲】
【請求項１】
カメラに着脱可能に取り付けられるストラップで、筒状のたわむ素材の内部を一本以上の紐が通り、その紐がストラップの両端のカメラ接続部が有する輪状の構造をそれぞれ通り、筒状のたわむ素材に設けられた穴から紐の一端と他端がそれぞれ外部に出され、この紐をそれぞれ引くことで左右の長さを自由に調整することができることを特徴とするストラップ。
【請求項２】
カメラに着脱可能に取り付けられるストラップで、筒状のたわむ素材の内部を二本以上の紐が通り、紐の一端はストラップの両端のカメラ接続部とそれぞれ繋がっており、他端は筒状のたわむ素材に設けられた穴からそれぞれ外部に出され、この紐をそれぞれ引くことで左右の長さを自由に調整することができることを特徴とするストラップ。
【考案の詳細な説明】
【技術分野】
【０００１】  この考案はカメラストラップに関するものである。
【背景技術】
【０００２】  カメラを首や肩等にかけるために、カメラに着脱可能に装着される、左右任意の長さで調整が可能なカメラストラップがある。このカメラストラップは一端にカメラ接続部、他端にストラップ接続部をそれぞれ持つ第１のストラップ８１と第２のストラップ８２を有しストラップ接続部８３、８４、で第３のストラップ８７をそれぞれ任意の位置で固定することで左右任意の長さでストラップを調整することができる。図５
【考案の概要】
【考案が解決しようとする課題】
【０００３】  しかしながら以上の技術によれば、長さを調整する際に第１のストラップ８１と第２のストラップ８２と第３のストラップ８７を長さにあわせてストラップ接続部８３、８４で一度外して組替える必要があり、時間と手間がかかってしまっていた。また第３のストラップ８７に設けられたホール８８でストラップ接続部８３、８４を固定するため自由な位置で調整することができず、また第３のストラップ８７を首にかけることを考慮し実用的な面から第３のストラップ８７の中心付近にはホール８８がなく長さの調整ができる範囲が狭く、さらに第１のストラップ８１と第２のストラップ８２は長さが固定されているため、ストラップ全体としての長さの調整できる範囲が狭いという問題点があった。【０００４】  本考案はかかる事情に鑑みてなされたものであり、その目的は、簡単に左右の長さを自由に調整ができ、従来のカメラストラップよりも広い範囲で長さの調整ができるカメラストラップを提供することである。
【課題を解決するための手段】
【０００５】  上述した従来技術の問題点を解決し、上述した目的を達成するために、本考案のカメラストラップは、筒状のたわむ素材１とカメラ接続部８、９が筒状のたわむ素材とカメラ接合部１０、１１で固定されおおり、このカメラ接続部８、９は筒状のたわむ素材１の筒の中でカメラ接続部の一端が有する輪の構造１２をそれぞれ有し、これに紐１３がそれぞれ通され、紐の端２、３は筒状のたわむ素材１に設けられた穴４、５より外部に出されストッパー６、７を有する。図１
【考案の効果】
【０００６】  紐の一端２８を引っ張るとカメラ接続部２３が上昇しストラップの一端が短くなり、紐の他端２９を引っ張るとカメラ接続部２２が上昇しストラップの他端が短くなる。このカメラストラップを首や肩にかけて紐の端２８、２９を引くと紐２１がうける筒状のたわむ素材の内部の摩擦、又はストッパー３０、３１で長さが固定され簡単に長さの調整ができ、また今までにない広範囲の長さの調整ができる。図２
【図面の簡単な説明】
【０００７】
【図１】図１は本考案の実施形態に係わる内部に紐１３が通り、カメラ接続部８、９を有する筒状のたわむ素材１を使用した左右任意の自由な長さで調整できる機能を有するカメラストラップの全体外観図である。
【図２】図２は本考案の実施形態に係わる内部に紐２１が通り、カメラ接続部２２、２３を有するたわむ素材を使用した左右任意の自由な長さで調整できる機能を有するカメラストラップ図１の全体透視図である。
【図３】図３は本考案の実施形態に係わる内部に２本の紐４２、４３が通り、カメラ接続部４８、４９を有する筒状のたわむ素材４１を使用した左右任意の自由な長さで調整できる機能を有するカメラストラップの全体外観図である。
【図４】図４は本考案の実施形態に係わる内部に２本の紐６１、６２が通り、カメラ接続部６３、６４を有するたわむ素材を使用した左右任意の自由な長さで調整できる機能を有するカメラストラップ図３の全体透視図である。
【図５】図５は本考案の背景技術に係わる左右任意の長さで調整できる機能を有するカメラストラップの全体外観図である。
【考案を実施するための形態】
【０００８】以下、本考案の実施形態に係わる簡単に左右それぞれ自由な長さで調整できる機能を有するカメラストラップについて説明する。
筒状のたわむ素材１とカメラ接続部８、９が筒状のたわむ素材とカメラ接合部１０、１１で固定されおおり、このカメラ接続部８、９は筒状のたわむ素材１の筒の中でカメラ接続部の一端が有する輪の構造１２をそれぞれ有しており、これに紐１３がそれぞれ通されており、紐の端２、３は筒状のたわむ素材１に設けられた穴４、５よりそれぞれ外部に出されストッパー６、７を有する。図１
【０００９】  図２は図１の透視図であり、筒状のたわむ素材３２の内部に紐２１を通し紐の一端２９をカメラ接続部２２が有する輪状構造２４に通し、穴３４より外部に出しストッパー３１を取り付ける。紐の他端をカメラ接続部２３が有する輪状構造２５に通し、穴３３より外部に出しストッパー３０を取り付ける。紐２１は縛り目２６、２７を有しており、長さの調整を行わない通常使用時のカメラの重さは縛り目２６、２７がカメラの接続部の一端が有する輪状の構造２４，２５に引っかかることで紐２１に荷重がかかり、破損しやすい筒状のたわむ素材３２にカメラの荷重がかからない。図２
【００１０】  筒状のたわむ素材４１内部に２本紐４２、４３が通されており、紐４２の一端はカメラ接続部４９とカメラ接続部と紐の接合部５３で繋がっており、他端は穴４４より外部に出されストッパー４６が取り付けられている。紐４３の一端はカメラ接続部４８とカメラ接続部と紐の接合部５２で繋がっており、他端は穴４５より外部に出されストッパー４７が取り付けられている。  筒状のたわむ素材４１とカメラ接続部４８、４９が筒状のたわむ素材とカメラ接続部の接合部５０、５１でそれぞれ固定されている。図３
【００１１】  図４は図３の透視図であり、筒状のたわむ素材７１内部に２本の紐６１、６２が通されている。紐６１の一端はカメラ接続部６３とカメラ接続部と紐の接合部６５で繋がっており筒状のたわむ素材が有する穴７３から紐の他端６８が外部に出されストッパー７０を有する。紐６２の一端はカメラ接続部６４とカメラ接続部と紐の接合部６６で繋がっており筒状のたわむ素材が有する穴７２から紐の他端６７が外部に出されストッパー６９を有する。図４
【００１２】  図１の時、筒状のたわむ素材１の素材、筒の形状を作る方法、長さ、幅、厚み、カメラ接続部８、９の素材、長さ、形状、向き、厚さ、固定方法、カメラとの接続方法、紐１３の長さ、太さ、素材、向き、カメラ接続部の有する輪状の構造１２の大きさ、形状、素材、向き、固定方法、位置、ストッパー６、７の素材、向き、形状、穴４、５の大きさ、形状、向き、位置、筒状のたわむ素材とカメラの接合部１０、１１の形状、素材、向き固定方法、位置は限定されない。
【００１３】  図２の時、筒状のたわむ素材３２の素材、筒の形状を作る方法、長さ、幅、厚み、カメラ接続部２２、２３の素材、長さ、形状、向き、厚さ、固定方法、カメラとの接続方法、紐２１の長さ、太さ、素材、向き、カメラ接続部の有する輪状の構造２４、２５の大きさ、形状、素材、向き、固定方法、位置、ストッパー３０，３１の素材、向き、形状、穴３３、３４の大きさ、形状、向き、位置、縛り目２６、２７の大きさ、位置は限定されない。
【００１４】  図３の時、筒状のたわむ素材４１の素材、筒の形状を作る方法、長さ、幅、厚み、カメラ接続部４８、４９の素材、長さ、形状、向き、厚さ、固定方法、カメラとの接続方法、紐４２、４３の長さ、太さ、素材、向き、カメラ接続部と紐の接合部５２と５３の大きさ、形状、素材、向き、固定方法、位置、ストッパー４６、４７の素材、向き、形状、穴４４、４５の大きさ、形状、向き、位置、筒状のたわむ素材とカメラの接合部５０、５１の形状、素材、向き固定方法、位置は限定されない。
【００１５】  図４の時、筒状のたわむ素材７１の素材、筒の形状を作成する方法、長さ、幅、厚み、カメラ接続部６３、６４の素材、長さ、形状、向き、厚さ、固定方法、カメラとの接続方法、紐６１、６２の長さ、太さ、素材、向き、カメラ接続部と紐の接合部６５、６６の大きさ、形状、素材、向き、固定方法、位置、ストッパー６９，７０の素材、向き、形状、穴７２、７３の大きさ、形状、向き、位置は限定されない。
【００１６】  本考案は上述した実施形態には限定されない。
すなわち、当事者は、本考案の技術的範囲またはその均等の範囲内において、上述した実施形態の構成要素に関し、様々な変更、コンビネーション、サブコンビネーション、並びに代替を行ってもよい。例えば、図１ではカメラ接続部が有する輪状の構造１２は筒状のたわむ素材とカメラ接続部の接合部１０、１１が輪状の構造を有していることもある。また図３ではカメラ接続部と紐の接合部５２、５３があるが、筒状のたわむ素材とカメラ接続部の接合部５０、５１にカメラ接続部４８、４９と紐４２、４３をそれぞれ固定しても良い。
【００１７】  図１の実施形態によれば、紐の一端２８と紐の他端２９を引くことでカメラストラップを簡単に左右それぞれ自由な長さに変更することができる。
【００１８】図３の実施形態によれば、紐４２、４３を引くことでカメラストラップを簡単に左右それぞれ自由な長さに変更することができる。
【産業上の利用可能性】
【００１９】本考案は、カメラに取り付けられるカメラ用ストラップに適用可能である。
【符号の説明】
【００２０】１・・・筒状のたわむ素材
２・・・紐の一端
３・・・紐の他端
４・・・穴
５・・・穴
６・・・ストッパー
７・・・ストッパー
８・・・カメラ接続部
９・・・カメラ接続部
１０・・・筒状のたわむ素材とカメラ接続部の接合部
１１・・・筒状のたわむ素材とカメラ接続部の接合部
１２・・・カメラ接続部の一端が有する輪状の構造
１３・・・紐
Ａ  ・・・断面図の上部の線
Ｂ  ・・・断面図の下部の線
２１・・・筒のたわむ素材の内部を通る紐
２２・・・カメラ接続部
２３・・・カメラ接続部
２４・・・カメラ接続部の一端が有する輪状の構造
２５・・・カメラ接続部の一端が有する輪状の構造
２６・・・縛り目
２７・・・縛り目
２８・・・紐の一端
２９・・・紐の他端
３０・・・ストッパー
３１・・・ストッパー
３２・・・筒状のたわむ素材
３３・・・穴
３４・・・穴
４１・・・筒状のたわむ素材
４２・・・紐
４３・・・紐
４４・・・穴
４５・・・穴
４６・・・ストッパー
４７・・・ストッパー
４８・・・カメラ接続部
４９・・・カメラ接続部
５０・・・筒状のたわむ素材とカメラ接続部の接合部
５１・・・筒状のたわむ素材とカメラ接続部の接合部
５２・・・カメラ接続部と紐の接合部
５３・・・カメラ接続部と紐の接合部
Ｃ  ・・・断面図の上部の線
Ｄ  ・・・断面図の下部の線
６１・・・紐
６２・・・紐
６３・・・カメラ接続部
６４・・・カメラ接続部
６５・・・カメラ接続部と紐の接合部
６６・・・カメラ接続部と紐の接合部
６７・・・紐の端
６８・・・紐の端
６９・・・ストッパー
７０・・・ストッパー
７１・・・筒状のたわむ素材
７２・・・穴
７３・・・穴
８１・・・一端にカメラ接続部を有し他端にストラップ接続部を有する第１のストラップ
８２・・・一端にカメラ接続部を有し他端にストラップ接続部を有する第２のストラップ
８３・・・ストラップ接続部
８４・・・ストラップ接続部
８５・・・カメラ接続部
８６・・・カメラ接続部
８７・・・第３のストラップ
８８・・・ホール
【図１】
0003185777.tif 000003
【図２】
0003185777.tif 000004
【図３】
0003185777.tif 000005
【図４】
0003185777.tif 000006
【図５】
0003185777.tif 000007